(57)【要約】【課題】写真等の複数種のサイズのシートを端縁が揃えられた状態で受け止めて、取出口からの取り出しに供することのできるシート搬出装置を提供する。【解決手段】上部から落下した写真が順次重なりながら積載される底部１５２と、底部１５２からシート取出口へつながる前面部１５４とを具備する写真受け部１５において、各写真サイズごとに、前面部１５４に衝突した写真のはね返りを防止する規制位置に、押さえ部１５６を設ける。【選択図】      図１
2004338911.tif 000002
【特許請求の範囲】
【請求項１】
上部から落下する複数種のサイズのシートを受け止め、装置本体に開口されたシート取出口からの取り出しに供するシート受け部を具備するシート搬出装置であって、
前記シート受け部は、上部から落下したシートが順次重なりながら積載される底部と、
前記底部から前記シート取出口へつながる前面部と、
各シートサイズごとに前記前面部に衝突したシートのはね返りを防止する規制位置に設けられた押さえ部と、
を具備することを特徴とするシート搬出装置。
【請求項２】
前記底部において、前記規制位置に段差を設けることにより、前記押さえ部を形成したことを特徴とする請求項１に記載のシート搬出装置。
【請求項３】
前記前面部において、前記前面部に衝突して立ち上がったシートが当接する位置に突出部を設けることにより、シートが前面部に張り付くのを防止することを特徴とする請求項１または２に記載のシート搬出装置。
【請求項４】
前記シート搬出装置が、写真をプリントして搬出する写真印刷機であることを特徴とする請求項１〜３のいずれか一つに記載のシート搬出装置。
【請求項５】
前記シート搬出装置が、記録媒体に記録されている画像データを写真としてプリントして販売する写真印刷販売機であることを特徴とする請求項１〜４のいずれか一つに記載のシート搬出装置。
【発明の詳細な説明】
【０００１】
【発明の属する技術分野】
本発明は、シートの端をそろえて受け止めて、シート取出口へ送り出すことができるシート搬出装置に関し、より詳細には、メモリーカードなどの記録媒体に記録されている画像データを写真としてプリントして販売する写真印刷販売機に好適に利用できるシート搬出装置に関する。
【０００２】
【従来の技術】
近年のデジタルカメラの普及に伴い、プリントアウトサービスの一形態として、メモリーカードなどに記録されている画像データを自動的に写真としてプリントして販売する写真印刷販売機へのニーズが高まっている。
【０００３】
このような写真印刷販売機は、図３に示すように、販売機本体に組み込まれ、ユーザにより指定されたサイズの写真をプリントしてその下方に払い出すプリンタ１１と、プリンタ１１から払い出された写真１２を下方に導くシュータ１３と、シュータ１３を介して導かれた写真１２を受け止め、写真印刷販売機本体の前面に開口された写真取出口１４からの取り出しに供する写真受け部１５とを備えている。
【０００４】
【特許文献１】
特開２００１−１６２８７１号公報
【０００５】
【発明が解決しようとする課題】
プリンタ１１で印刷され１枚づつ送出された複数の写真１２は、勢いをつけてシュータ１３を落下し、写真受け部１５で写真端縁が重なった状態で受け止められて、取出しに供されることが好ましい。
【０００６】
図３に示すように、写真受け部１５は、プリンタ１１から払い出された写真１２を滑らかに受けて下方へと導く傾斜面を有する傾斜部１５０と、傾斜部１５０を滑った写真が突き当たって停止する前面部１５４と、停止した写真が順次重なりながら積載される底部１５２と、前面部１５４に衝突した写真のはね返りを防止する押さえ部１５６とを備えている。
【０００７】
従来技術では、写真の最大サイズの幅にあわせて、押さえ部１５６の位置が決められていた。最大サイズの写真１２０がプリンタから払い出されると、押さえ部１５６によって写真１２０が前面部１５４に押さえられるので、写真の端縁が揃った状態となる（図４（ａ）参照）。
【０００８】
しかしながら、小サイズの写真１２２の場合、前面部１５４と押さえ部１５６との間隔が広すぎるため、写真が前面部１５４に衝突した後はね返り、写真の端縁が揃えられていないばらばらの状態で受け止められる場合があった（図４（ｂ）参照）。このため、ユーザが写真を取出しにくく、写真取出口から写真を取出したあと、写真を整列させなければならないという問題があった。
【０００９】
また、プリンタから払い出された写真はシュータを自然落下するため、ユーザから見やすいように傾斜形状をしている底部１５２を滑って前面部１５４にあたり、勢い写真が手前に倒れることがある（図４（ｃ）参照）。この際、プリンタから払い出された写真は帯電しているため、写真受け部の前面部１５４に、帯電した写真が張り付いて、写真が搬出されていないと誤解される問題がある。
【００１０】
本発明は上述の問題点を解決するために成されたものであり、その第１の目的は、写真等の複数種のサイズのシートを端縁が揃えられた状態で受け止めて、取出口からの取り出しに供することのできるシート搬出装置を提供することである。また、その第２の目的は、取出口前面に、シートが張り付いてシート未搬出と誤解されるというトラブルを未然に防ぐことができるシート搬出装置を提供することである。
【００１１】
【課題を解決するための手段】
前述した課題を解決する第１の発明は、上部から落下する複数種のサイズのシートを受け止め、装置本体に開口されたシート取出口からの取り出しに供するシート受け部を具備するシート搬出装置であって、前記シート受け部が、上部から落下したシートが順次重なりながら積載される底部と、前記底部から前記シート取出口へつながる前面部と、各シートサイズごとに前記前面部に衝突したシートのはね返りを防止する規制位置に設けられた押さえ部と、を具備することを特徴とするシート搬出装置にある。
【００１２】
第２の発明は、第１の発明において、前記底部において、前記規制位置に段差を設けることにより、前記押さえ部を形成したことを特徴とするシート搬出装置にある。
【００１３】
第３の発明は、第１または第２の発明において、前記前面部において、前記前面部側に立ち上がったシートが当接する位置に突出部を設けることにより、シートが前面部に張り付くのを防止することを特徴とするシート搬出装置にある。
【００１４】
第４の発明は、第１〜３の発明のいずれか一つにおいて、前記シート搬出装置が、写真をプリントして搬出する写真印刷機であることを特徴とするシート搬出装置にある。
【００１５】
第５の発明は、第１〜４の発明のいずれか一つにおいて、前記シート搬出装置が、記録媒体に記録されている画像データを写真としてプリントして販売する写真印刷販売機であることを特徴とするシート搬出装置にある。
【００１６】
【発明の実施の形態】
以下に添付図面を参照して、この発明にかかるシート搬出装置の好適な実施の形態を、写真印刷販売機を例にして詳細に説明する。なお、本発明のシート搬出装置の用途は、写真印刷販売機に限定されるものではなく、複数種のサイズのシート（例えば、名刺、カード類）をシート取出口へ送り出すことを目的とする装置であれば、限定なく利用できる。
【００１７】
図１は、本発明の本実施の形態である写真印刷販売機１を示したものである。ここで例示する写真印刷販売機１は、販売機本体に組み込まれ、ユーザにより指定されたサイズの写真をプリントしてその下方に払い出すプリンタ１１と、プリンタ１１から払い出された写真１２を下方に導くシュータ１３と、シュータ１３を介して導かれた写真１２を受け止め、写真印刷販売機本体の前面に開口された写真取出口１４からの取り出しに供する写真受け部１５とを備えている。
【００１８】
本実施の形態では、写真印刷販売機１は、Ｌ版プリンタ１１０、２Ｌ版プリンタ１１２の２種類のプリンタを備え、Ｌ版と２Ｌ版の２種類のサイズの写真をプリントすることができる。
【００１９】
写真印刷販売機１は、本体の前扉に画像データを記録したメモリーカードを挿入するカードリーダ部、プリント代を入金する入金部、および、写真のサイズ、現像枚数などを選択できる複数の選択釦を備えている（図示せず）。ユーザが、カードリーダ部にメモリーカードを挿入し、選択釦を押してＬ版と２Ｌ版のいずれかのサイズを指定し、プリント代を入金すると、Ｌ版プリンタ１１０、２Ｌ版プリンタ１１２のいずれか一方が、指定されたサイズの写真のプリントを開始する。プリントされた写真１２は、シュータ１３を通り、写真受け部１５へ落下し、写真印刷販売機本体の前扉に開口された写真取出口１４からの取出しに供される。
【００２０】
写真受け部１５は、上方から落下してくる写真１２を滑らかに受けて、写真受け部の底部１５２へと導く傾斜面を有する傾斜部１５０と、傾斜部１５０を滑って導かれた写真１２を受け止める底部１５２と、底部１５２から写真取出口へとつながる前面部１５４とを具備する。底部１５２は、写真取出口１４からユーザが写真１２を見やすいように傾斜形状をしている。
【００２１】
本実施の形態では、底部１５２において、２Ｌ版とＬ版の各サイズごとに、前面部１５４に衝突した写真のはね返りを防止する規制位置に、それぞれ押さえ部１５６ａ、１５６ｂが形成されている。また、前面部１５４には、前面部に倒れこんだ写真１２が張り付くのを防止するための突出部１５４ａが設けられている。
【００２２】
２Ｌ版の写真１２０のはね返りを防止する押さえ部１５６ａと前面部１５４との間隔は、２Ｌ版の写真１２２の幅とほぼ同じであり、Ｌ版の写真１２２のはね返りを防止する押さえ部１５６ｂと、前面部１５４との間隔は、Ｌ版の写真１２２の幅とほぼ同じである。本実施の形態では、底部１５２において、かかる規制位置に段差を設けることにより、押さえ部１５６ａ、１５６ｂを形成している。
【００２３】
Ｌ版の写真１２２は、上方から落下した後、傾斜部１５０および底部１５２を滑って前面部１５４に衝突した後停止するが、押さえ部１５６ｂによって衝突後のはね返りが規制されるため、前面部１５４と押さえ部１５６ｂの間に写真端縁が揃った状態で収納される（図２（ａ）参照）。
【００２４】
また、２Ｌ版の写真１２２は、上方から落下した後、傾斜部１５０および底部１５２を滑って前面部１５４に衝突した後停止するが、押さえ部１５６ａによって衝突後のはね返りが規制されるため、前面部１５４と押さえ部１５６ａの間に写真端縁が揃った状態で収納される（図２（ｂ）参照）。
【００２５】
このように、写真受け部１５において、各写真サイズごとに、前面部１５４に衝突した写真のはね返りを防止する規制位置に押さえ部を設けることにより、いずれのサイズの写真も写真受け部１５で整列された状態で受け止めることができる。
【００２６】
前面部１５４は、前面部１５４に衝突して前面部側に倒れた写真１２が当接する位置に突出部１５４ａを有している。本実施の形態では、突出部１５４ａは、２Ｌ版およびＬ版のどちらにも当接する位置に設けられている。
【００２７】
プリンタ１１から払い出された写真１２はシュータを自然落下するため、写真受け部１５の前面部１５４に衝突し、勢い写真が手前に倒れることがある。従来技術では、前面部１５４は平滑面であり、プリンタ１１から払い出された写真１２は帯電しているため、前面部１５４に帯電した写真が張り付いて、写真が搬出されていないと誤解される場合があったが（図４（ｃ）参照）、本実施の形態では、前面部１５４に、突出部１５４ａが設けられているため、写真１２が前面部１５４へ張り付くのを防止することができる（図２（ｃ）参照）。
【００２８】
なお、本実施の形態では、Ｌ版、２Ｌ版の２サイズにあわせて底部１５２を設計してあるが、３サイズ以上の写真に対応できるよう、写真受け部１５の底部１５２の２段以上の段差を有する多段形状に設計変更しても構わない。
【００２９】
また、本実施の形態では、突出部１５４ａは、１つの突出部で全てのサイズの写真の張り付きを防止できる位置、すなわち、２Ｌ版およびＬ版のどちらにも当接する位置に設けられているが、前面部１５４への写真の張り付きを防止できる限り、突出部１５４ａの数、形状に特に限定はない。例えば、前面部１５４全面に多数の突出部を分散させて、前面部１５４を粗面状する等の設計変更が可能である。
【００３０】
【発明の効果】
以上説明したように、本発明のシート搬出装置によれば、各シートサイズごとに、シート受け部の前面部に衝突したシートのはね返りを防止する規制位置に、押さえ部を設けることにより、写真等の複数種のサイズのシートを端を揃えた状態で受け止めて、シート取出口からの取り出しに供することができる。
【００３１】
また、シート受け部の前面部に、シート受け部の前方へ立ち上がったシートが当接する位置に突出部を設けることにより、シュータを自然落下したシートがシート受け部の前面部にあたり前方に倒れた際、シートが前面部に張り付いてシート未搬出と誤解されるというトラブルを未然に防ぐことができる。
【００３２】
かかる特徴を有する本発明のシート搬出装置は、写真、カード類等の複数種のサイズのシートを送出するシート搬出装置として、特に写真をプリントして帯電した状態で送出する写真印刷販売機として好適に利用できる。
【図面の簡単な説明】
【図１】本発明の本実施の形態である写真印刷販売機の断面図である。
【図２】本実施の形態の写真受け部１５の断面図であり、（ａ）Ｌ版サイズの写真１２２を受け止めた状態、（ｂ）２Ｌ版サイズの写真１２０を受け止めた状態、（ｃ）写真が前面部側に立ち上がった状態である。
【図３】従来技術の写真印刷販売機における写真受け部の断面図である。
【図４】従来技術の写真受け部１５の断面図であり、（ａ）２Ｌ版サイズの写真１２０を受け止めた状態、（ｂ）Ｌ版サイズの写真１２２を受け止めた状態、（ｃ）写真が前面部側に立ち上がった状態である。
【符号の説明】
１  写真印刷販売機
１１  プリンタ
１１０  Ｌ版プリンタ
１１２  ２Ｌ版プリンタ
１２  写真
１２０  写真（２Ｌ版）
１２２  写真（Ｌ版）
１３  シュータ
１４  写真取出口
１５  写真受け部
１５０  傾斜部
１５２  底部
１５４  前面部
１５４ａ  突出部
１５６  押さえ部
１５６ａ  押さえ部（２Ｌ版用）
１５６ｂ  押さえ部（Ｌ版用）
【図１】
2004338911.tif 000003
【図２】
2004338911.tif 000004
【図３】
2004338911.tif 000005
【図４】
2004338911.tif 000006